(57)【特許請求の範囲】
【請求項１】
複数の弦を有する擦弦楽器用の演奏補助表示装置であって、
時間軸方向で変化する音高を含む演奏情報において各音高の音を発生するために前記擦弦楽器の押さえられるべき位置、弦を押さえるべき指および押さえられるべき弦をそれぞれ押圧位置、押弦指および押圧弦として特定する特定手段と、
前記複数の弦に対応する複数の線分を表示し、特定された前記押圧位置を示す位置情報と特定された前記押弦指を示す指情報との組み合わせを、特定された前記押圧弦に対応する線分上に表示する表示手段とを備えた、演奏補助表示装置。
【請求項２】
前記指情報は、特定された前記押弦指を形状の違いおよび色の違いの少なくとも一方で表す、請求項１記載の演奏補助表示装置。
【請求項３】
前記特定手段は、少なくとも１つの音高について複数組の押圧位置、押弦指および押圧弦を特定し、
前記複数組の押圧位置、押弦指および押圧弦のうちいずれか一組の押圧位置、押弦指および押圧弦を選択する選択手段を備え、
前記表示手段は、前記複数の線分のうち選択された前記押圧弦に対応する線分上に、選択された前記押圧位置を示す位置情報と選択された押弦指を示す指情報との組み合わせを表示する、請求項１または２記載の演奏補助表示装置。
【請求項４】
各音高と当該音高の音を発生するために押さえられるべき位置、弦を押さえるべき指および押さえられるべき弦との対応関係を示す対応情報を取得する取得手段をさらに備え、
前記特定手段は、取得された前記対応情報に基づいて、前記演奏情報における各音高について前記押圧位置、前記押弦指および前記押圧弦を特定する、請求項１〜３のいずれか一項に記載の演奏補助表示装置。
【請求項５】
前記表示手段は、現時点で発生すべき音高に対応する第１の操作情報を表示するとともに時間軸方向において次に発生すべき音高に対応する第２の操作情報を表示する、請求項１〜４のいずれか一項に記載の演奏補助表示装置。
【請求項６】
複数の弦を有する擦弦楽器用の演奏補助表示方法であって、
時間軸方向で変化する音高を含む演奏情報において各音高の音を発生するために前記擦弦楽器の押さえられるべき位置、弦を押さえるべき指および押さえられるべき弦をそれぞれ押圧位置、押弦指および押圧弦として特定するステップと、
前記複数の弦に対応する複数の線分を表示し、特定された前記押圧位置を示す位置情報と特定された前記押弦指を示す指情報との組み合わせを、特定された前記押圧弦に対応する線分上に表示するステップとを含む、演奏補助表示方法。
【発明の詳細な説明】
【技術分野】
【０００１】
本発明は、擦弦楽器用の表示を行う演奏補助表示装置および演奏補助表示方法に関する。
【背景技術】
【０００２】
楽器を演奏する際には、楽譜が用いられる。通常、楽譜として五線譜が用いられる。また、楽器の奏法を示す楽譜としてタブラチュア譜が用いられることもある。タブラチュア（Tablature,Tabulature）は記譜法の一種であり、楽器固有の奏法を文字または数字で表示するものである。また、タブラチュア譜は、タブラチュアの記譜法で記載された楽譜であり、ＴＡＢ譜、タブ譜または奏法譜とも呼ばれる。特許文献１には、ギター系フレット弦楽器向けのＴＡＢ譜を自動的に作成する譜面作成装置が記載されている。特許文献１の譜面作成装置では、ギターを演奏したときの指の状態および音高が運指情報として検出される。検出された運指情報に基づいてＴＡＢ譜が作成される。
【０００３】
また、特許文献２には、電子ギターを用いたゲーム装置においてディスプレイの画面上に楽譜オブジェクト、タイミング線および電子ギター画を表示することが記載されている。電子ギター画には複数のフレットスイッチが表示される。複数のフレットスイッチはそれぞれ異なる色で表示される。楽譜オブジェクトは、電子ギターの棹状の台板表面に似せて描かれている。楽譜オブジェクトには、複数のフレット画部が間隔をあけて表示され、各フレット画部に電子ギターのフレットスイッチの番号が付される。複数のフレット画部間の領域は、使用者が押さえるべきフレットスイッチを指定するために用いられる。楽譜オブジェクトは、画面の右側から左側にスクロール表示される。例えば、５番目の領域がフレットスイッチに対応した色で指定されると、使用者は指定された領域に対応するフレットスイッチを指で押さえ、５番目のフレット画部がタイミング線と重なった瞬間に弦スイッチを弾く。
【先行技術文献】
【特許文献】
【０００４】
【特許文献１】特開平１１−８５１４５号公報
【特許文献２】特許第４５１３１３２号公報
【発明の概要】
【発明が解決しようとする課題】
【０００５】
特許文献１に記載された譜面作成装置によれば、表示装置の画面にＴＡＢ譜を表示することができる。ＴＡＢ譜を用いると、ギターを演奏する際に演奏者は手の指で押さえる弦と押さえる位置とを容易に認識することができる。また、特許文献２に記載された楽譜オブジェクト等の表示によれば、電子ギターを演奏する際に演奏者は押さえるべきフレットスイッチを容易に認識することができる。
【０００６】
一方、擦弦楽器の演奏方法はギター系フレット弦楽器の演奏方法とは異なる。そのため、擦弦楽器を演奏する際にギター系フレット弦楽器向けのＴＡＢ譜または特許文献２の楽譜オブジェクト等の表示を用いることはできない。また、五線譜には、擦弦楽器特有の演奏方法が表示されない。
【０００７】
本発明の目的は、擦弦楽器の演奏に適した表示を行うことにより擦弦楽器の演奏を補助することが可能な演奏補助表示装置および演奏補助表示方法を提供することである。
【課題を解決するための手段】
【０００８】
（１）本発明に係る演奏補助表示装置は、複数の弦を有する擦弦楽器用の演奏補助表示装置であって、時間軸方向で変化する音高を含む演奏情報において各音高の音を発生するために擦弦楽器の押さえられるべき位置、弦を押さえるべき指および押さえられるべき弦をそれぞれ押圧位置、押弦指および押圧弦として特定する特定手段と、複数の弦に対応する複数の線分を表示し、特定された押圧位置を示す位置情報と特定された押弦指を示す指情報との組み合わせを、特定された押圧弦に対応する線分上に表示する表示手段とを備えたものである。
【０００９】
この演奏補助表示装置においては、各音高の音を発生するために擦弦楽器の押さえられるべき位置、弦を押さえるべき指および押さえられるべき弦がそれぞれ押圧位置、押弦指および押圧弦として特定される。擦弦楽器の複数の弦に対応する複数の線分が表示され、特定された押圧位置を示す位置情報と特定された押弦指を示す指情報との組み合わせが特定された押圧弦に対応する線分上に表示される。ここで、押さえられるべき位置とは、弦の押さえられるべき位置または親指で押さえられるべきネックの位置をいう。それにより、演奏者は、各音高の音を出すために、弦またはネックのどの位置を押さえるべきか、弦をいずれの指で押さえるべきかおよびいずれの弦を押さえるべきかを容易に認識することができる。したがって、複数の線分上に表示された位置情報と指情報との組み合わせを擦弦楽器用の楽譜または補助表示として用いることができる。このように、擦弦楽器の演奏に適した表示を行うことにより擦弦楽器の演奏を補助することが可能となる。
【００１０】
（２）指情報は、特定された押弦指を形状の違いおよび色の違いの少なくとも一方で表してもよい。この場合、演奏者は、弦を押さえる指を視覚的に容易に認識することができる。
【００１３】
（３）特定手段は、少なくとも１つの音高について複数組の押圧位置、押弦指および押圧弦を特定し、複数組の押圧位置、押弦指および押圧弦のうちいずれか一組の押圧位置、押弦指および押圧弦を選択する選択手段を備え、表示手段は、複数の線分のうち選択された押圧弦に対応する線分上に、選択された押圧位置を示す位置情報と選択された押弦指を示す指情報との組み合わせを表示してもよい。このような構成により、ある音高の音を複数組の押圧位置、押弦指および押圧弦により出すことができる場合に、使用者の好みまたは演奏の容易さを考慮して押圧位置、押弦指および押圧弦を選択することができる。
【００１４】
（４）演奏補助表示装置は、各音高と当該音高の音を発生するために押さえられるべき位置、弦を押さえるべき指および押さえられるべき弦との対応関係を示す対応情報を取得する取得手段をさらに備え、特定手段は、取得された対応情報に基づいて、演奏情報における各音高について押圧位置、押弦指および押圧弦を特定してもよい。この場合、特定手段は、複雑なアルゴリズムを用いることなく、対応情報に基づいて各音高に対応する押圧位置、押弦指および押圧弦を容易に特定することができる。
【００１５】
（５）表示手段は、現時点で発生すべき音高に対応する第１の操作情報を表示するとともに時間軸方向において次に発生すべき音高に対応する第２の操作情報を表示してもよい。この場合、演奏者は、現時点で行うべき操作および次に行うべき操作を視覚的にかつ容易に認識することができる。
【００１６】
（６）複数の弦を有する擦弦楽器用の演奏補助表示方法であって、時間軸方向で変化する音高を含む演奏情報において各音高の音を発生するために擦弦楽器の押さえられるべき位置、弦を押さえるべき指および押さえられるべき弦をそれぞれ押圧位置、押弦指および押圧弦として特定するステップと、複数の弦に対応する複数の線分を表示し、特定された押圧位置を示す位置情報と特定された押弦指を示す指情報との組み合わせを、特定された押圧弦に対応する線分上に表示するステップとを含んでもよい。
【００１７】
この演奏補助表示方法においては、各音高の音を発生するために擦弦楽器の押さえられるべき位置、弦を押さえるべき指および押さえられるべき弦がそれぞれ押圧位置、押弦指および押圧弦として特定される。擦弦楽器の複数の弦に対応する複数の線分が表示され、特定された押圧位置を示す位置情報と特定された押弦指を示す指情報との組み合わせが特定された押圧弦に対応する線分上に表示される。それにより、演奏者は、各音高の音を出すために、弦またはネックのどの位置を押さえるべきか、弦をいずれの指で押さえるべきかおよびいずれの弦を押さえるべきかを容易に認識することができる。したがって、複数の線分上に表示された位置情報と指情報との組み合わせを擦弦楽器用の楽譜または補助表示として用いることができる。このように、擦弦楽器の演奏に適した表示を行うことにより擦弦楽器の演奏を補助することが可能となる。
【発明の効果】
【００１８】
本発明よれば、擦弦楽器の演奏に適した表示を行うことにより擦弦楽器の演奏を補助することが可能となる。
【図面の簡単な説明】
【００１９】
【図１】本発明の一実施の形態に係る演奏補助表示装置を含む演奏支援装置の構成を示すブロック図である。
【図２】図１の処理装置の機能的な構成を示すブロック図である。
【図３】バイオリンの押圧弦の弦番号および押弦位置の位置番号を説明するための模式図である。
【図４】バイオリンの音名、押弦位置の位置番号および押圧弦の弦番号の関係を示す模式図である。
【図５】押弦指の指番号を説明するための模式図である。
【図６】バイオリン用の変換テーブルの例を示す模式図である。
【図７】バイオリン用の変換テーブルの異なる音域の例を示す模式図である。
【図８】運指特定部および表示情報生成部の動作を説明するための模式図である。
【図９】演奏補助表示装置における演奏補助表示方法を示すフローチャートである。
【図１０】バイオリン用の楽譜の一例を示す図である。
【図１１】チェロ用の楽譜の一例を示す図である。
【図１２】バイオリン用の楽譜の他の例を示す図である。
【図１３】バイオリンの押圧弦の弦番号および親指位置の位置番号を説明するための模式図である。
【図１４】バイオリン用の変換テーブルの他の例を示す模式図である。
【図１５】バイオリン用の楽譜の他の例を示す図である。
【図１６】図１５の楽譜における運指を説明するための図である。
【発明を実施するための形態】
【００２０】
以下、本発明の実施の形態に係る演奏補助表示装置および演奏補助表示方法について図面を用いて詳細に説明する。
【００２１】
（１）演奏支援装置の構成
図１は本発明の一実施の形態に係る演奏補助表示装置を含む演奏支援装置の構成を示すブロック図である。図１の演奏支援装置１００は、伴奏音を発生するとともに擦弦楽器用の楽譜を表示する。
【００２２】
擦弦楽器は、弦を弓または棒等の摩擦部材により擦ることにより音を出す弦楽器である。演奏者は、弦を指で押さえた状態でその弦を摩擦部材により擦ると、弦の押さえた位置によって異なる音高の音を出すことができる。また、複数の弦を有する擦弦楽器では、擦られる弦とその弦の押さえられた位置とによって異なる音高の音を出すことができる。例えば、バイオリンは４本の弦を有する。バイオリンを演奏する際には、演奏者は、親指でネックの裏側のいずれかの位置を押さえ、他の４本の指のいずれかで４本の弦のいずれかを押さえる。各音高の音を出すためには、押さえられるべき弦、当該弦の押さえられるべき位置および当該弦を押さえるべき指を特定する必要がある。あるいは、押さえられるべき弦、親指で押さえられるべきネックの位置および弦を押さえるべき指を特定する必要がある。以下、押さえられるべき弦を押圧弦と呼び、弦の押さえられるべき位置を押弦位置と呼び、弦を押さえるべき指を押弦指と呼ぶ。また、親指で押さえられるネックの位置を親指位置と呼ぶ。弦またはネックの押さえられるべき位置を押圧位置と総称する。すなわち、押圧位置は、押弦位置および親指位置を含む。押圧弦、押圧位置（押弦位置または親指位置）および押弦指の組み合わせが運指である。本実施の形態では、押圧位置として押弦位置が用いられる。
【００２３】
図１の演奏支援装置１００は、操作部１０、再生装置２０、音声出力装置３０、記憶装置４０、処理装置５０および表示装置６０を含む。記憶装置４０、処理装置５０および表示装置６０が演奏補助表示装置１を構成する。
【００２４】
操作部１０は、タッチパネルディスプレイ等に表示されるユーザインタフェースまたは各種スイッチ等を含み、使用者により操作される。例えば、使用者は、操作部１０を操作することにより再生装置２０に伴奏音の再生開始、再生停止、早送り、巻き戻し等の動作を指示することができる。
【００２５】
記憶装置４０は、ハードディスク、光学ディスク、磁気ディスク、メモリカード、半導体メモリ等の記憶媒体により構成され、演奏情報ＰＬＩおよび後述する変換テーブルを記憶する。演奏情報ＰＬＩは、伴奏音を表す伴奏データおよび使用者が演奏すべき楽曲の楽譜を示す楽譜情報を含む。伴奏データは、伴奏音の変化を表すオーディオデータであってもよく、またはＭＩＤＩ（Musical Instrument Digital Interface）データであってもよい。楽譜情報は、擦弦楽器の発生音の高さ（音高）および長さ等を指示するためのデータであり、時間軸上で変化する音高を表わす音名を含む。具体的には、楽譜情報は音符を示す音符情報を含む。この楽譜情報はオーディオデータであってもよく、ＭＩＤＩデータであってもよい。
【００２６】
再生装置２０は、音楽プレイヤまたはＭＩＤＩプレイヤ等からなり、操作部１０の操作に基づいて記憶装置４０から与えられる演奏情報ＰＬＩを再生する。具体的には、再生装置２０は、演奏情報ＰＬＩに基づいて伴奏音を表す楽音信号ＭＳを音声出力装置３０に与えるとともに伴奏音の再生箇所を示す時刻情報ＴＩを処理装置５０に与える。時刻情報ＴＩは、伴奏音の小節、拍およびティックの値を含む。音声出力装置３０は、デジタルアナログ（Ｄ／Ａ）変換回路、増幅器およびスピーカ等を含み、楽音信号ＭＳに基づいて伴奏音を出力する。
【００２７】
処理装置５０は、記憶装置４０から取得する演奏情報ＰＬＩおよび再生装置２０から与えられる時刻情報ＴＩに基づいて、楽譜を表示するための表示情報ＤＩを生成する。本実施の形態では、処理装置５０は、ＣＰＵ（中央演算処理装置）、ＲＯＭ（リードオンリメモリ）およびＲＡＭ（ランダムアクセスメモリ）を含む。ＲＯＭは、例えば不揮発性メモリからなり、システムプログラムおよび演奏補助表示プログラム等のコンピュータプログラムを記憶する。ＲＡＭは、例えば揮発性メモリからなり、ＣＰＵの作業領域として用いられるとともに、各種データを一時的に記憶する。
【００２８】
ＣＰＵは、ＲＯＭに記憶された演奏補助表示プログラムを実行することにより後述する演奏補助表示方法を行う。演奏補助表示プログラムは、コンピュータが読み取り可能な記録媒体に格納された形態で提供され、ＲＯＭまたは記憶装置４０にインストールされてもよい。また、処理装置５０が通信網に接続されている場合、通信網に接続されたサーバから配信された演奏補助表示プログラムがＲＯＭまたは記憶装置４０にインストールされてもよい。表示装置６０は、液晶表示装置等からなり、表示情報ＤＩに基づいて楽譜等を表示する。操作部１０および表示装置６０が一体的に構成されてもよい。
【００２９】
（２）演奏補助表示装置の機能的な構成
図２は図１の処理装置５０の機能的な構成を示すブロック図である。図２に示すように、処理装置５０は、演奏情報取得部５１、変換テーブル取得部５２、運指特定部５３、表示情報生成部５４、運指選択部５５および楽器種類設定部５６を含む。演奏情報取得部５１、変換テーブル取得部５２、運指特定部５３、表示情報生成部５４、運指選択部５５および楽器種類設定部５６の機能は、ＣＰＵが演奏補助表示プログラムを実行することにより実現される。
【００３０】
演奏情報取得部５１は、図１の記憶装置４０から演奏情報ＰＬＩを取得する。変換テーブル取得部５２は、記憶装置４０から変換テーブルを取得する。運指特定部５３は、変換テーブル取得部５２により取得された変換テーブルに基づいて、演奏情報取得部５１により取得された演奏情報ＰＬＩ内の楽譜情報から各音高に対応して擦弦楽器の押圧弦、押弦位置および押弦指を特定するとともに、各音高の演奏時刻（開始および音価）を特定する。運指選択部５５は、演奏情報ＰＬＩ内の楽譜情報、運指特定部５３により特定された押圧弦、押弦位置および押弦指、または図１の操作部１０を用いた使用者の操作に基づいて、代替の押圧弦、押弦位置および押弦指を選択する。
【００３１】
楽器種類設定部５６は、演奏情報ＰＬＩ内の楽譜情報または図１の操作部１０を用いた使用者の操作に基づいて擦弦楽器の種類を選択する。なお、楽器種類設定部５６は、擦弦楽器の演奏曲を示すオーディオデータに基づいて擦弦楽器の種類を選択することも可能である。表示情報生成部５４は、運指特定部５３により特定された各音高に対応する押圧弦、押弦位置、押弦指および演奏時刻（開始および音価）ならびに再生装置２０から与えられる時刻情報ＴＩに基づいて表示情報ＤＩを生成する。
【００３２】
（３）擦弦楽器の押圧弦、押弦位置および押弦指
ここで、擦弦楽器の押圧弦、押弦位置および押弦指の例について説明する。図３はバイオリンの押圧弦の弦番号および押弦位置の位置番号を説明するための模式図である。図３に示すように、バイオリンは、第１弦（Ｅ線）Ｓ１、第２弦（Ａ線）Ｓ２、第３弦（Ｄ線）Ｓ３および第４弦（Ｇ弦）Ｓ４を有する。第１弦Ｓ１は開放状態で音名「Ｅ」の音を出し、第２弦Ｓ２は開放状態で音名「Ａ」の音を出し、第３弦Ｓ３は開放状態で音名「Ｄ」の音を出し、第４弦Ｓ４は開放状態で音名「Ｇ」の音を出す。第１弦Ｓ１、第２弦Ｓ２、第３弦Ｓ３および第４弦Ｓ４に弦指定情報として弦番号“１”、“２”、“３”および“４”がそれぞれ割り当てられる。
【００３３】
バイオリンの指板のスクロール側の端部ｅｓから胴側の端部ｅｂへ向かう方向において複数の押弦位置が順に設定される。図３の例では、複数の押弦位置に位置情報として位置番号“０”〜“１９”が順に割り当てられる。位置番号“０”は弦が押さえられない開放状態を意味する。
【００３４】
図４はバイオリンの音名、押弦位置の位置番号および押圧弦の弦番号の関係を示す模式図である。例えば、一点鎖線Ｒ１で囲まれるように、第４弦Ｓ４の位置番号“５”〜“７”、第３弦Ｓ３の位置番号“１”〜“７”および第２弦Ｓ２の位置番号“１”，“２”の位置を押さえることにより、音域Ｃ３〜Ｂ３の音名「Ｃ」〜「Ｂ」の音高を発生することができる。なお、第４弦Ｓ４の位置番号“５”〜“１６”を押さえることにより、音域Ｃ３〜Ｂ３の音名「Ｃ」〜「Ｂ」の音高を発生することもできる。
【００３５】
また、一点鎖線Ｒ２で囲まれるように、第２弦Ｓ２の位置番号“３”〜“７”および第１弦Ｓ１の位置番号“１”〜“７”の位置を押さえることにより、音域Ｃ４〜Ｂ４の音名「Ｃ」〜「Ｂ」の音高を発生することができる。さらに、一点鎖線Ｒ３で囲まれるように、第１弦Ｓ１の位置番号“８”〜“１９”を押さえることにより、音域Ｃ５〜Ｂ５の音名「Ｃ」〜「Ｂ」の音高を発生することができる。
【００３６】
図５は押弦指の指番号を説明するための模式図である。図５に括弧書きで示すように、人差し指、中指、薬指および小指に指番号“１”、“２”、“３”および“４”が順に割り当てられる。また、人差し指には１つの頂点を有する図形が指情報Ｆ１として割り当てられ、中指には２つの頂点を有する図形が指情報Ｆ２として割り当てられ、薬指には３つの頂点を有する図形が指情報Ｆ３として割り当てられ、小指には４つの頂点を有する図形が指情報Ｆ４として割り当てられる。弦の開放状態には頂点を有しない図形が指情報Ｆ０として割り当てられる。このように、指情報Ｆ０〜Ｆ４の図形の頂点の数が指番号“０”〜“４”にそれぞれ対応する。
【００３７】
図６はバイオリン用の変換テーブルの例を示す模式図である。図６（ａ）は基本の変換テーブルＴＡ３を示し、図６（ｂ）は代替の変換テーブルＴＢ３を示す。図６（ａ），（ｂ）の変換テーブルＴＡ３，ＴＢ３は音域Ｃ３〜Ｂ３の音名、位置番号、弦番号および指番号の対応関係を示す。
【００３８】
基本の変換テーブルＴＡ３および代替の変換テーブルＴＢ３において、音名「Ｃ」〜「Ｄ」に対応する位置番号、弦番号および指番号は同じであり、音名「Ｅ♭」〜「Ｂ」に対応する位置番号、弦番号および指番号が異なる。例えば、基本の変換テーブルＴＡ３では、音名「Ｆ」に位置番号“３”、弦番号“３”および指番号“２”が対応する。演奏者は、音名「Ｆ」の音を出す場合に、弦番号“３”の第３弦Ｓ３の位置番号“３”の押弦位置を指番号“２”の中指で押さえる。代替の変換テーブルＴＢ３では、音名「Ｆ」に位置番号“１０”、弦番号“４”および指番号“２”が対応する。演奏者は、音名「Ｆ」の音を出す場合に、弦番号“４”の第４弦Ｓ４の位置番号“１０”の押弦位置を指番号“２”の中指で押さえる。
【００３９】
図７はバイオリン用の変換テーブルの異なる音域の例を示す模式図である。図７（ａ）は低音域Ｃ３〜Ｂ３の変換テーブルＴＡ３を示し、図７（ｂ）は中音域Ｃ４〜Ｂ４の変換テーブルＴＡ４を示し、図７（ｃ）は高音域Ｃ５〜Ｂ５の変換テーブルＴＡ５を示す。
【００４０】
例えば、変換テーブルＴＡ３における低音域の音名「Ｄ」には、位置番号“７”、弦番号“４”および指番号“４”が対応する。変換テーブルＴＡ４における中音域の音名「Ｄ」には、位置番号“５”、弦番号“２”および指番号“３”が対応する。変換テーブルＴＡ５における高音域の音名「Ｄ」には、位置番号“１０”、弦番号“１”および指番号“２”が対応する。
【００４１】
図１の記憶装置４０には、複数種類の擦弦楽器に対応する複数種類の変換テーブルが記憶される。例えば、バイオリン用の変換テーブルおよびチェロ用の変換テーブル等が記憶装置４０に記憶される。
【００４２】
（４）運指特定部５３および表示情報生成部５４の動作
図８は運指特定部５３および表示情報生成部５４の動作を説明するための模式図である。図８においては、最上部に楽譜情報に基づいて表示される五線譜１１０が示される。五線譜１１０の下に各音符の音名、位置番号、弦番号、指番号および時刻情報が順に示される。時刻情報の下に、運指を示す楽譜（以下、運指楽譜と呼ぶ。）１２０が示される。
【００４３】
図２の運指特定部５３は、演奏情報ＰＬＩ内の楽譜情報に基づいて各音符の音名および時刻（開始および音価）を特定し、変換テーブルに基づいて各音名に対応する位置番号、弦番号および指番号を特定する。表示情報生成部５４は、運指特定部５３により特定された位置番号、弦番号および指番号ならびに図１の再生装置２０から与えられる時刻情報ＴＩに基づいて運指楽譜１２０を表示するための表示情報を生成する。
【００４４】
図８の例では、音名「Ｄ」に対応して位置番号“７”、弦番号“４”および指番号“４”が特定され、音名「Ｅ」に対応して位置番号“２”、弦番号“３”および指番号“１”が特定され、音名「Ｆ」に対応して位置番号“３”、弦番号“３”および指番号“２”が特定される。
【００４５】
運指楽譜１２０は、擦弦楽器を模式的に表す楽器図形７１、および擦弦楽器の複数の弦に対応する複数本の線分Ｐ１〜Ｐ４を含む。図８の例では、楽器図形７１はバイオリンを表す。複数本の線分Ｐ１〜Ｐ４は、バイオリンの第１弦Ｓ１、第２弦Ｓ２、第３弦Ｓ３および第４弦Ｓ４にそれぞれ対応して時間軸方向に平行に延びるように表示される。複数本の線分Ｐ１〜Ｐ４のうち各音名に対応する線分上に指情報Ｆ１〜Ｆ４のいずれかおよび位置情報ＰＩ（位置番号）が弦指定情報として表示される。本実施の形態では、指情報Ｆ１〜Ｆ２内に位置情報ＰＩを表す数値が表示される。
【００４６】
例えば、音名「Ｄ」に対応して線分Ｐ４上に指情報Ｆ４が表示されるとともに、指情報Ｆ４内に位置番号“７”が表示される。それにより、音名「Ｄ」の音高を発生するために第４弦Ｓ４の位置番号“７”の位置を小指で押さえることが示される。また、音名「Ｅ」に対応して線分Ｐ３上に指情報Ｆ１が表示されるとともに、指情報Ｆ１内に位置番号“２”が表示される。それにより、音名「Ｅ」の音高を発生するために第３弦Ｓ３の位置番号“２”の位置を人差し指で押さえることが示される。さらに、音名「Ｆ」に対応して線分Ｐ３上に指情報Ｆ２が表示されるとともに、指情報Ｆ２内に位置番号“３”が表示される。それにより、音名「Ｆ」の音高を発生するために第３弦Ｓ３の位置番号“３”の位置を中指で押さえることが示される。
【００４７】
運指楽譜１２０には、時間軸上での現在の演奏箇所を示す現時点情報１５０が表示される。現時点情報１５０は、時間の経過とともに右へ移動する。演奏者は、運指楽譜１２０により各音名の音を出すための運指を認識することができる。
【００４８】
（５）演奏補助表示方法および演奏補助表示プログラム
図９は演奏補助表示装置１における演奏補助表示方法を示すフローチャートである。図９の演奏補助表示方法は、図１の処理装置５０のＣＰＵがＲＯＭまたは記憶装置４０に記憶された演奏補助表示プログラムを実行することにより行われる。
【００４９】
まず、図２の演奏情報取得部５１が図１の記憶装置４０に記憶された演奏情報ＰＬＩ内の楽譜情報を取得する（ステップＳ１）。また、楽器種類設定部５６が擦弦楽器の種類を設定する（ステップＳ２）。この場合、楽器種類設定部５６は、使用者による図１の操作部１０の操作に基づいて擦弦楽器の種類を設定してもよい。また、楽譜情報に擦弦楽器の種類が含まれる場合には、楽器種類設定部５６は、演奏情報取得部５１により取得された楽譜情報に基づいて擦弦楽器の種類を設定してもよい。さらに、楽譜情報が演奏曲のオーディオデータである場合には、楽器種類設定部５６は、オーディオデータに基づいて擦弦楽器の種類を設定してもよい。
【００５０】
次に、変換テーブル取得部５２は、図１の記憶装置４０から設定された擦弦楽器の種類に対応する変換テーブルを取得する（ステップＳ３）。運指特定部５３は、変換テーブルに基づいて楽譜情報に含まれる各音高に対応する基本の位置番号および弦番号の組を特定する（ステップＳ４）。また、運指特定部５３は、変換テーブルに基づいて当該音高について代替の位置番号および弦番号の組があるか否かを判定する（ステップＳ５）。代替の位置番号および弦番号の組がある場合には、運指選択部５５は、フレーズに応じて代替の位置番号および弦番号の組が選択されるべきか否かを判定する（ステップＳ６）。例えば、当該音高の前後の音高に対応する位置番号に基づいて、基本の位置番号および弦番号の組よりも代替の位置番号および弦番号の組の方が手の移動量が小さい場合に代替の位置番号および弦番号の組が選択されるべきであると判定される。あるいは、予め操作部１０の操作に基づいて運指選択部５５が代替の位置番号および弦番号を選択している場合には、代替の位置番号および弦番号が選択されるべきであると判定される。
【００５１】
代替の位置番号および弦番号が選択されるべきである場合には、運指特定部５３は、特定した基本の位置番号および弦番号の組を代替の位置番号および弦番号の組に変更する（ステップＳ７）。ステップＳ５で代替の位置番号および弦番号の組がない場合またはステップＳ６で代替の位置番号および弦番号の組が選択されるべきでない場合には、ステップＳ８に進む。さらに、運指特定部５３は、変換テーブルに基づいて位置番号および弦番号の組に対応する指番号を特定する（ステップＳ８）。
【００５２】
その後、表示情報生成部５４は、特定された位置番号、弦番号、指番号および時刻情報ＴＩに基づいての表示情報ＤＩを生成する（ステップＳ９）。さらに、表示情報生成部５４は、表示情報ＤＩを出力することにより表示装置６０に運指楽譜１２０を表示させる（ステップＳ１０）。また、表示情報生成部５４は、時刻情報ＴＩに基づいて現在の演奏箇所を示す現時点情報１５０を表示装置６０に表示させる（ステップＳ１１）。
【００５３】
次いで、運指特定部５３は、楽器種類設定部５６により擦弦楽器の種類が変更されたか否かを判定する（ステップＳ１２）。擦弦楽器の種類が変更されていない場合には、運指特定部５３はステップＳ４に戻る。それにより、次の音高についてステップＳ４〜Ｓ１２の処理が行われる。
【００５４】
ステップＳ１２で擦弦楽器の種類が変更された場合には、変換テーブル取得部５２は、変更後の擦弦楽器の種類に対応する変換テーブルを取得し（ステップＳ１３）、ステップＳ４に戻る。それにより、変更後の擦弦楽器の種類に対応する運指楽譜１２０が表示される。
【００５５】
上記の処理により、伴奏音の進行に従って擦弦楽器の演奏すべき箇所を中心とする前後一定範囲の運指楽譜１２０が表示装置６０の画面上に表示される。運指楽譜１２０の最終部分の表示が終了すると、表示情報ＤＩが記憶装置４０に記憶される。使用者は、操作部１０を用いた操作により記憶装置４０に記憶された表示情報ＤＩに基づいて運指楽譜１２０を表示装置６０の画面上に表示させることができる。また、使用者は、画面上に表示された運指楽譜１２０を操作部１０により編集することができる。例えば、各音高に対応するプルダウンメニューにより基本の位置番号および弦番号の組を代替の位置番号および弦番号の組に変更することができる。
【００５６】
（６）擦弦楽器用の楽譜の表示例
図１０はバイオリン用の楽譜の一例を示す図である。図１０に示すように、図１の表示装置６０の画面に五線譜１１０および運指楽譜１２０が表示される。図８を用いて説明したように、運指楽譜１２０は、バイオリンの楽器図形７１、複数の弦に対応する複数本の線分Ｐ１〜Ｐ４、指情報Ｆ１〜Ｆ４および位置情報ＰＩを含む。時間の経過に従って現時点情報１５０が右方向に移動する。また、時間の経過に従って現時点情報１５０が画面内に位置するように画面上の五線譜１１０および運指楽譜１２０の表示範囲が更新される。
【００５７】
図１１はチェロ用の楽譜の一例を示す図である。図１１の運指楽譜１２０は、チェロの楽器図形７１、複数の弦に対応する複数本の線分Ｐ１〜Ｐ４、指情報Ｆ１〜Ｆ４および位置情報ＰＩを含む。チェロ用の運指楽譜１２０では、各音高に対応する位置番号、弦番号および指番号の対応関係がバイオリン用の運指楽譜１２０における対応関係とは異なる。したがって、チェロ用の運指楽譜１２０を表示する際には、チェロ用の変換テーブルが用いられる。
【００５８】
（７）実施の形態の効果
本実施の形態に係る演奏補助表示装置１および演奏補助表示方法によれば、各音高に対応する押圧弦、押弦位置および押弦指が特定され、運指楽譜１２０の複数の線分のうち特定された押圧弦に対応する線分上に位置情報ＰＩおよび指情報Ｆ１〜Ｆ４が弦指定情報として表示される。したがって、演奏者は、各音高の音を出すために、いずれの弦のいずれの位置をいずれの指で押さえるべきかを容易に認識することができる。これにより、運指楽譜１２０を擦弦楽器の演奏に適した楽譜として用いることができるので、擦弦楽器の演奏を補助することが可能となる。
【００５９】
また、位置情報ＰＩおよび指情報Ｆ１〜Ｆ４が弦指定情報を兼用しているので、演奏者は、各音高の音を出すための押圧弦、押弦位置および押弦指を同時にかつ容易に認識することができる。したがって、擦弦楽器の演奏がさらに補助される。さらに、位置情報ＰＩ、指情報Ｆ１〜Ｆ４および弦指定情報が時間軸方向において各音高に対応する位置に表示される。したがって、演奏者は、各音高の発生時点、押圧弦、押弦位置および押弦指を同時に認識することができる。
【００６０】
また、運指楽譜１２０には、楽器図形７１から延びる複数の線分上に弦指定情報が表示される。それにより、演奏者は、擦弦楽器の押圧弦を直感的に容易に認識することができる。加えて、指情報Ｆ１〜Ｆ４の図形の頂点の数が指番号に対応しているので、演奏者は、押弦指を容易に認識することができる。
【００６１】
さらに、使用者は、基本の位置番号および弦番号の組の代わりに代替の位置番号および弦番号の組を選択することも可能である。この場合、使用者により選択された位置番号および弦番号の組に基づく運指楽譜１２０が表示される。それにより、使用者の好みに応じた演奏が可能となる。また、演奏の容易さを考慮して位置番号および弦番号の組の操作位置を選択することも可能である。これらの結果、演奏方法の自由度が高くなる。擦弦楽器の種類を変更した場合には、変更後の擦弦楽器の種類に応じた変換テーブルを用いて運指楽譜１２０の表示が切り替えられるので、複数の種類の擦弦楽器の演奏が容易になる。
【００６２】
（８）他の実施の形態
図１２はバイオリン用の楽譜の他の例を示す図である。図１２に示すように、表示装置６０の画面に五線譜１１０および運指楽譜１２０が表示される。図１２の運指楽譜１２０が図１０の運指楽譜１２０と異なるのは、指情報Ｆ１〜Ｆ４の代わりに指情報ｆ１〜ｆ４が表示される点である。図１２の例では、人差し指、中指、薬指および小指にそれぞれ異なる色が指情報ｆ１〜ｆ４として割り当てられる。ここで、色は、色彩、彩度および明度という属性を有する。色の違いは、色彩、彩度および明度のうち少なくとも１つの属性の違いで表される。
【００６３】
図１２において、色の違いが異なるハッチングまたはドットパターンで表されている。指情報ｆ１〜ｆ４が複数の色からなる模様の違いにより表されてもよい。図１０の例と同様に、複数本の線分Ｐ１〜Ｐ４のうち各音名に対応する線分上に位置情報ＰＩが弦指定情報として表示される。指情報ｆ１〜ｆ４は、位置情報ＰＩの背景色として用いられる。本例によれば、演奏者は、色の違いにより押弦指を認識することができる。なお、時間軸方向において複数の指情報ｆ１〜ｆ４の色が連続的または段階的に変化してもよい。また、複数の指情報が形状および色の組み合わせであってもよい。
【００６４】
上記実施の形態では、押圧位置として押弦位置が用いられるが、押圧位置として親指位置が用いられてもよい。図１３はバイオリンの押圧弦の弦番号および親指位置の位置番号を説明するための模式図である。バイオリンのネックＮＥのスクロール側の端部から胴側の端部へ向かう方向において複数の親指位置が順に設定される。親指位置は、スクロール側から順に第１ポジション、第２ポジション、…、第１０ポジションと呼ばれる。第１ポジション〜第１０ポジションは各弦の音階で決まる親指位置である。図１３の例では、複数の親指位置に位置情報として位置番号“１”〜“１０”が順に割り当てられる。
【００６５】
図１４はバイオリン用の変換テーブルの他の例を示す模式図である。図１４の変換テーブルＴＡ６において、音名「Ｃ」〜「Ｂ」に対応する親指位置の位置番号、押圧弦の弦番号および押弦指の指番号が示されている。なお、図１４には、第１ポジション（位置番号“１”）についての音名、弦番号および指番号の対応関係のみが示されるが、変換テーブルＴＡ６には他のポジションについての音名、弦番号および指番号の対応関係も含まれる。例えば、音名「Ｆ」に位置番号“１”、弦番号“３”および指番号“２”が対応する。演奏者は、音名「Ｆ」の音を出す場合に、親指でネックＮＥの位置番号“１”の第１ポジションを押さえ、弦番号“３”の第３弦Ｓ３を指番号“２”の中指で押さえる。
【００６６】
本例では、図２の運指特定部５３が、変換テーブル取得部５２により取得された図１４の変換テーブルＴＡ６に基づいて、演奏情報取得部５１により取得された演奏情報ＰＬＩ内の楽譜情報から各音高に対応して擦弦楽器の押圧弦、親指位置および押弦指を特定する。また、表示情報生成部５４が、運指特定部５３により特定された各音高に対応する押圧弦、親指位置、押弦指に基づいて表示情報ＤＩを生成する。
【００６７】
図１５はバイオリン用の楽譜の他の例を示す図である。図１５に示すように、図１の表示装置６０の画面に五線譜１１０および運指楽譜１２０が表示される。図１５の運指楽譜１２０は、押弦位置の位置番号を表す位置情報ＰＩの代わりに親指位置の位置番号を表す位置情報Ｐｉを含む。右向きの白抜きの矢印は「♯」を意味し、左向きの白抜きの矢印は「♭」を意味する。図１６は図１５の楽譜における運指を説明するための図である。図１６では、親指位置として第１ポジション〜第５ポジションが示され、押圧弦として第２弦（Ａ線）が示される。第１ポジション〜第５ポジションは第２弦の音階で決まる親指位置である。音名の右側の括弧内に押弦指の指番号が示される。図１５の運指楽譜１２０に対応する運指の順序が点線の矢印で示される。図１５および図１６の例では、音名「Ｂ」および「Ｄ」の音高を順に発生するために、親指で位置番号“１”の親指位置（第１ポジション）を押さえた状態で、指番号“１”の人差し指および指番号“３”の薬指で第２弦を順に押さえることが示される。次に、音名「Ｆ♯」および「Ｄ」の音高を順に発生するために、親指を位置番号“２”の親指位置（第２ポジション）に移動させ、指番号“４”の小指および指番号“２”の中指で第２弦を順に押さえることが示される。さらに、音名「Ｇ」、「Ｄ」、「Ｂ」および「Ａ♭」の音高を順に発生するために、親指を位置番号“３”の親指位置（第３ポジション）に移動させ、指番号“４”の小指および指番号“１”の人差し指で第２弦を順に押さえ、親指を位置番号“５”の親指位置（第５ポジション）に移動させ、指番号“４”の小指および指番号“２”の中指で第２弦を順に押さえることが示される。
【００６８】
本例においては、演奏者は、各音高の音を出すために、親指でネックのどの位置を押さえ、いずれの弦をいずれの指で押さえるべきかを容易に認識することができる。これにより、運指楽譜１２０を擦弦楽器の演奏に適した楽譜として用いることができるので、擦弦楽器の演奏を補助することが可能となる。
【００６９】
上記実施の形態では、運指楽譜１２０における指情報Ｆ１〜Ｆ４が押圧弦に対応する線分上に表示されるが、指情報Ｆ１〜Ｆ４が線分Ｐ１〜Ｐ４上に表示されなくてもよい。例えば、指情報Ｆ１〜Ｆ４が線分Ｐ１〜Ｐ４の上方または下方に表示されてもよい。また、上記実施の形態では、指情報Ｆ１〜Ｆ４が指番号と同じ数の頂点を有する図形であるが、指情報Ｆ１〜Ｆ４が他の形状の図形、文字または記号等であってもよい。例えば、指情報Ｆ１〜Ｆ４が“１”〜“４”の数字（指番号）で表示され、指情報Ｆ１〜Ｆ４および位置情報ＰＩ，Ｐｉが例えば「３／１」のように「指番号／位置番号」の形式で表示されてもよい。
【００７０】
上記実施の形態では、押圧弦、押圧位置（押弦位置または親指位置）および押弦指が変換テーブルに基づいて特定されるが、本発明はこれに限定されず、予め定められたアルゴリズムに基づいて押圧弦、押圧位置および押弦指が特定されてもよい。また、上記実施の形態では、運指楽譜１２０の複数の線分が等間隔に表示されているが、運指楽譜１２０の複数の線分が等間隔に表示されなくてもよい。さらに、上記実施の形態では、運指楽譜１２０とともに五線譜１１０が表示されるが、五線譜１１０が表示されなくてもよい。
【００７１】
また、上記実施の形態では、現時点情報１５０の右側の部分において、次に演奏すべき部分の位置情報ＰＩ，Ｐｉ、指情報Ｆ１〜Ｆ４，ｆ１〜ｆ４および弦指定情報が予告的に表示されているが、予告的な表示が行われなくてもよい。すなわち、現在演奏すべき音高に対応する位置情報ＰＩ，Ｐｉ、指情報Ｆ１〜Ｆ４，ｆ１〜ｆ４および弦指定情報のみが順次表示されてもよい。
【００７２】
上記実施の形態では、現時点情報１５０が現時点で発生すべき音高に対応する第１の操作情報として表示されるが、時間軸方向において次に発生すべき音高に対応する第２の操作情報として図１０〜図１３および図１５に点線で示される次時点情報１６０がさらに表示されてもよい。それにより、演奏者は、現時点で行うべき操作および次に行うべき操作を視覚的にかつ容易に認識することができる。現時点情報１５０および次時点情報１６０は、背景と異なる色で強調表示されてもよく、点滅等により強調表示されてもよい。
【００７３】
また、時間軸方向で現時点情報１５０と次時点情報１６０との間の区間における指情報Ｆ１〜Ｆ４の表示態様が他の区間における指情報Ｆ１〜Ｆ４の表示態様から変更されてもよい。例えば、現時点情報１５０と次時点情報１６０との間の区間における指情報Ｆ１〜Ｆ４が他の区間における指情報Ｆ１〜Ｆ４と異なる色で表示されてもよく、または点滅表示されてもよい。それにより、演奏者は、次に発生すべき音高についての押弦指を直感的に認識することができる。さらに、時間軸方向で現時点情報１５０と次時点情報１６０との間の区間における位置情報ＰＩ，Ｐｉの表示態様が他の区間における位置情報ＰＩ，Ｐｉの表示態様から変更されてもよい。例えば、現時点情報１５０と次時点情報１６０との間の区間における位置情報ＰＩ，Ｐｉが他の区間における位置情報ＰＩ，Ｐｉと異なる色で表示されてもよく、または点滅表示されてもよい。それにより、演奏者は、次に発生すべき音高についての押弦位置または親指位置を直感的に認識することができる。現時点情報１５０および次時点情報１６０との間の領域が他の領域と異なる色で強調表示されてもよく、点滅等により強調表示されてもよい。この場合、強調表示された領域の右端が次時点情報１６０として把握されるため、次時点情報１６０の表示が省略されてもよい。
【００７４】
また、表示態様が変更された指情報Ｆ１〜Ｆ４または位置情報ＰＩ，Ｐｉの近傍にアイコンまたは文字による補助的な表示が行われてもよい。例えば、図１５の現時点情報１５０と次時点情報１６０との間の区間における指情報Ｆ１〜Ｆ４または位置情報ＰＩ，Ｐｉの部分の近傍に右斜め上の矢印のようなアイコンが表示されてもよい。それにより、演奏者は、現時点で発生すべき音高についての操作から次に発生すべき音高についての操作の変化を直感的に認識することができる。
【００７５】
本発明に係る演奏補助表示装置および演奏補助表示方法は、バイオリンまたはチェロに限らず、ビオラ、コントラバスまたは胡弓等の種々の擦弦楽器用の楽譜の表示に適用可能である。
【００７６】
また、本発明に係る演奏補助表示装置および演奏補助表示方法は、擦弦楽器用の楽譜に限らず、１つの音高に対応する擦弦楽器用の指情報、位置情報および弦指定情報を補助表示として表示する場合にも適用可能である。
【００７７】
上記実施の形態では、演奏補助表示装置１の処理装置５０の各構成要素が演奏補助表示プログラム等のソフトウエアにより実現されるが、処理装置５０の構成要素の一部または全てが電子回路等のハードウエアにより実現されてもよい。
【００７８】
（９）請求項の各構成要素と実施の形態の各部との対応
以下、請求項の各構成要素と実施の形態の各部との対応の例について説明するが、本発明は下記の例に限定されない。請求項の各構成要素として、請求項に記載されている構成または機能を有する他の種々の要素を用いることができる。
【００７９】
上記実施の形態では、運指特定部５３が特定手段の例であり、表示情報生成部５４および表示装置６０が表示手段の例であり、運指選択部５５が操作位置選択手段の例である。
【産業上の利用可能性】
【００８０】
本発明は、擦弦楽器用の表示を行うため等に利用することができる。
【符号の説明】
【００８１】
１…演奏補助表示装置，１０…操作部，２０…再生装置，３０…音声出力装置，４０…記憶装置，５０…処理装置，５１…演奏情報取得部，５２…変換テーブル取得部，５３…運指特定部，５４…表示情報生成部，５５…運指選択部，５６…楽器種類設定部，６０…表示装置，７１…楽器図形，１００…演奏支援装置，１１０…五線譜，１２０…運指楽譜，１５０…現時点情報，１６０…次時点情報，ＴＡ３，ＴＢ３，ＴＡ４，ＴＡ５，ＴＡ６…変換テーブル
【図１】
0006766397.tif 000002
【図２】
0006766397.tif 000003
【図３】
0006766397.tif 000004
【図４】
0006766397.tif 000005
【図５】
0006766397.tif 000006
【図６】
0006766397.tif 000007
【図７】
0006766397.tif 000008
【図８】
0006766397.tif 000009
【図９】
0006766397.tif 000010
【図１０】
0006766397.tif 000011
【図１１】
0006766397.tif 000012
【図１２】
0006766397.tif 000013
【図１３】
0006766397.tif 000014
【図１４】
0006766397.tif 000015
【図１５】
0006766397.tif 000016
【図１６】
0006766397.tif 000017